(57)【特許請求の範囲】
【請求項１】
上下に対向する室外廊下やベランダ等（以下、ベランダＶという）の上面壁Ｖａと下面壁Ｖｂとの間に、上下に延びる突っ張りポストによって足場用主枠を突っ張り支持させるようにした足場装置において、足場用主枠１は室内側左右突っ張りポスト２と、左右突っ張りポスト２，２間に設けられた後面布枠３と、室外側左右前面枠支柱４と、左右前面枠支柱４，４間に設けられた前面布枠５と、室内側左右突っ張りポスト２と室外側左右前面枠支柱４との間に設けられた側面布枠６と、左右突っ張りポスト２及び左右前面枠支柱４の各下端部に設けられたキャスター７とからなり、該足場用主枠１に平行リンク機構からなる張り出し脚８によって室外側に張り出し可能な張り出し枠９が設けられ、該張り出し枠に作業床１０が設けられてなる足場装置。
【請求項２】
前記突っ張りポスト２は、キャスター７が下端部に設けられた基部ポスト１１と、該基部ポスト１１に伸縮可能に取り付けられる第１の伸縮ポスト１２と、該第１伸縮ポスト１２に伸縮可能に取り付けられる第２の伸縮ポスト１３とからなる請求項１に記載の足場装置。
【請求項３】
前記張り出し脚８に昇降ステップ１４が設けられてなる請求項１または２に記載の足場装置。
【請求項４】
前記張り出し枠９の前面部には取り外し可能な前面手摺２１を設けてなる請求項１〜３の何れかに記載の足場装置。
【請求項５】
前記張り出し枠９はロックヒンジ１５によって直立枠状に維持ロックされると共に、ロック解除されると作業床１０面上に折り畳み可能に形成されてなる請求項１〜４の何れかに記載の足場装置。
【請求項６】
足場用主枠１から室外側に張り出された張り出し枠９は係止手段１６及び載架手段２２によって足場用主枠１に自動的に係止且つ載架されてその張り出し状態が補強されるようになっている請求項１〜５の何れかに記載の足場装置。
【請求項７】
前記張り出し枠９が室内側の足場用主枠１内に収容された状態で該張り出し枠９が作業床１０面上に折り畳まれると共に、足場用主枠１を形成する突っ張りポスト２が収縮され、その状態で移動可能となっている請求項１〜６の何れかに記載の足場装置。
【請求項８】
足場用主枠１に複数の足場板１８，１９が着脱可能に取り付けられてなる請求項１〜７の何れかに記載の足場装置。
【請求項９】
足場用主枠１を形成する後面布枠３はその中央部３ａを枢着点して折り畳み可能となっており、また該後面布枠３とその両側の側面布枠６とは両布枠間のコーナー部を中心に折り畳み可能となっており、従ってこれらの部材は互いにつづら折り状に折り畳むことができるようになっている請求項１〜８の何れかに記載の足場装置。
【請求項１０】
足場用主枠１を形成する前面布枠５は取り外し可能になっている請求項１〜９の何れに記載の足場装置。
【請求項１１】
足場用主枠１、張り出し枠９、張り出し脚８、突っ張りポスト２及び足場板１８，１９は互いに分離可能となっている請求項１〜１０の何れかに記載の足場装置。
【発明の詳細な説明】
【０００１】
【発明の属する技術分野】
本発明は、マンション等の多階層建物の各階に設けられている玄関側の室外廊下、あるいはベランダ等に設置して、その手摺り等の補修や改装作業などを行う際の足場として使用される足場装置に関する。
【０００２】
【従来の技術】
上記のような多階層建物の室外廊下やベランダ等（以下、ベランダという）の手摺り等の補修や改装作業などを行うにあたって、従来では、建物の外壁に沿って地上から建物最上階部にわたって大掛かりな作業用足場を組んでいたため、その足場の仮設施工費が非常に高くついていた。
【０００３】
この問題を解決するために、本出願人は、例えば特願平９−１１８１４０号に示すように、上下に対向するベランダの上面壁と下面壁との間に、上下に延びる支柱によって足場本体を突っ張り支持させ、この足場本体に室外廊下等の室外側に張り出す張り出し枠を設け、この張り出し枠に作業床を形成した足場装置を提案したが、未だ使用勝手が悪く実用的に問題があった。
【０００４】
【発明が解決しようとする課題】
本発明は、特に作業現場が変わっても、簡単に移動して作業を行うことができるなど使用勝手の良いこの種足場装置を提案することを主たる目的とするものである。
【０００５】
【課題を解決するための手段】
上記課題を解決するために、請求項１に係る発明にあっては、上下に対向する室外廊下やベランダ等（以下、ベランダＶという）の上面壁Ｖａと下面壁Ｖｂとの間に、上下に延びる突っ張りポストによって足場用主枠を突っ張り支持させるようにした足場装置において、足場用主枠１は室内側左右突っ張りポスト２と、左右突っ張りポスト２，２間に設けられた後面布枠３と、室外側左右前面枠支柱４と、左右前面枠支柱４，４間に設けられた前面布枠５と、室内側左右突っ張りポスト２と室外側左右前面枠支柱４との間に設けられた側面布枠６と、左右突っ張りポスト２及び左右前面枠支柱４の各下端部に設けられたキャスター７とからなり、該足場用主枠１に平行リンク機構からなる張り出し脚８によって室外側に張り出し可能な張り出し枠９が設けられ、該張り出し枠に作業床１０が設けられてなる構成を採用してなるものである。
【０００６】
また請求項２に係る発明にあっては、前記突っ張りポスト２は、キャスター７が下端部に設けられた基部ポスト１１と、該基部ポスト１１に伸縮可能に取り付けられる第１の伸縮ポスト１２と、該第１伸縮ポスト１２に伸縮可能に取り付けられる第２の伸縮ポスト１３とからなる請求項１に記載の構成を採用してなるものである。
【０００７】
また請求項３に係る発明にあっては、前記張り出し脚８に昇降ステップ１４が設けられてなる請求項１または２に記載の構成を採用してなるものである。
【０００８】
また請求項４に係る発明にあっては、前記張り出し枠９の前面部には取り外し可能な前面手摺２１を設けてなる請求項１〜３の何れかに記載の構成を採用してなるものである。
【０００９】
また請求項５に係る発明にあっては、前記張り出し枠９はロックヒンジ１５によって直立枠状に維持ロックされると共に、ロック解除されると作業床１０面上に折り畳み可能に形成されてなる請求項１〜４の何れかに記載の構成を採用してなるものである。
【００１０】
また請求項６に係る発明にあっては、足場用主枠１から室外側に張り出された張り出し枠９は係止手段１６及び載架手段２２によって足場用主枠１に自動的に係止且つ載架されてその張り出し状態が補強されるようになっている請求項１〜５の何れかに記載の構成を採用してなるものである。
【００１１】
また請求項７に係る発明にあっては、前記張り出し枠９が室内側の足場用主枠１内に収容された状態で該張り出し枠９が作業床１０面上に折り畳まれると共に、足場用主枠１を形成する突っ張りポスト２が収縮され、その状態で移動可能となっている請求項１〜６の何れかに記載の構成を採用してなるものである。
【００１２】
また請求項８に係る発明にあっては、足場用主枠１に複数の足場板１８，１９が着脱可能に取り付けられてなる請求項１〜７の何れかに記載の構成を採用してなるものである。
【００１３】
また請求項９に係る発明にあっては、足場用主枠１を形成する後面布枠３はその中央部３ａを枢着点して折り畳み可能となっており、また該後面布枠３とその両側の側面布枠６とは両布枠間のコーナー部分を中心に折り畳み可能となっており、従ってこれらの部材は互いにつづら折り状に折り畳むことができるようになっている請求項１〜８の何れかに記載の構成を採用してなるものである。
【００１４】
また請求項１０に係る発明にあっては、足場用主枠１を形成する前面布枠５は取り外し可能になっている請求項１〜９の何れに記載の構成を採用してなるものである。
【００１５】
また請求項１１に係る発明にあっては、足場用主枠１、張り出し枠９、張り出し脚８、突っ張りポスト２及び足場板１８，１９は互いに分離可能となっている請求項１〜１０の何れかに記載の構成を採用してなるものである。
【００１６】
【発明の実施の形態】
図１は、本発明に係る足場装置の使用状態を示す全体の斜視図である。また図２は、ベランダＶの上面壁Ｖａと下面壁Ｖｂとの間に設置して使用状態を示す側面図である。図３は、図２におけるＡーＡ線断面図である。図４は、図２におけるＢーＢ線断面図である。図５は、室外側から見た図、即ち正面図である。図６は室内側から見た図、即ち背面図である。図７は足場用主枠１と張り出し枠９との間に取り付けられる張り出し脚８の斜視図である。
【００１７】
以上の図面において、足場用主枠１は、室内側左右に設けられる突っ張りポスト２，２と、室外側左右に設けられる前面枠支柱４，４と、左右突っ張りポスト２，２間に設けられる後面布枠３と、左右前面枠支柱４間に設けられる前面布枠５と、前後に対向する突っ張りポスト２，２と前面枠支柱４，４との間に設けられる側面布枠６，６とかなる。
【００１８】
そして、突っ張りポスト２は、下端部にキャスター７を取り付けた基部ポスト１１と、該基部ポスト１１に嵌合される第１の伸縮ポスト１２と、該伸縮ポスト１２に更に嵌合される第２の伸縮ポスト１３とからなり、基部ポスト１１には上端部付近に支持孔２３（図２、図１１）が設けられ、第１の伸縮ポスト１２にはその長手方向適当間隔に調整孔２４が設けられ、またその上端部付近には固定孔２５が設けられいる。また第１伸縮ポスト１２の上端部には雄ねじ部２７が一体に突設されて、これにジャッキハンドル２６が回転可能に螺合されに共に、雄ねじ部２７は第２伸縮ポスト１３の下端部の中空部２７に嵌合され、第２伸縮ポスト１３の下端面は前記ジャッキハンドル２６に当接している。なお第２の伸縮ポスト１３の上端部に上面壁Ｖａに突っ張り当接する突っ張り板２０が壁面に自在に沿うよう揺動可能に枢着されている。
【００１９】
室外側の左右前面枠支柱４の各下端部にもキャスター７が取り付けられると共に、各上端部には後述のように張り出し枠９との係止手段１６が設けられ、また支柱４の上半分の位置には後述のように載架手段２２が設けられている。
【００２０】
足場用主枠１の後面部を形成する後面布枠３は、図３、図４及び図６に示すように、上下横桟２９，３０と縦桟３１と補強桟３２とからなり、上横桟２９の両端部は後述のガイド管８６に取り付けられ、下横桟３０の両端部は前述の基部ポスト１１に取り付けられている。また上下横桟２９，３０の中央部に水平方向に折り畳みヒンジ３ａ，３ａが設けられ、上下横桟２９，３０は後述のように二つ折り状に折り畳まれるようになっている。なお、図６に示すように、下横桟３０を利用して、これに昇降梯子３１のＵ字状上端部３２（図４）が引っ掛けて取り付けられるようになっている。
【００２１】
足場用主枠１の左右側面部を形成する側面布枠６は、図１、図２、図３、図４及び図６に示すように、その上端部に２本の横桟３３（図２）を有し、その室内側に短尺な縦管であるガイド管８６が連結されており、これに前述の突っ張りポスト２の第２の伸縮ポスト１３が嵌合している。また、図１、図２に示すように縦桟３４を挟んでその下方部に上部足場桟３５が固着され、またその下端部付近に下部足場桟３６が固着され、左右の上部足場桟３５間に上部足場板１８が取り付けられており、左右の下部足場桟３６間に下部足場板１９が取り付けられている。
【００２２】
足場用主枠１の前面部を形成する前面布枠５は、図１及び図５に示すように、上下横桟３７，３８と縦桟３９と補強桟４０とからなり、上下横桟３７，３８の両端部は左右の前面枠支柱４に取り付けられるようになっている。
【００２３】
足場用主枠１には、図１及び図２に示すように、上部足場板１８の上面部を支点として取り付けられる張り出し脚８によって室内側と室外側との間を移動可能な張り出し枠９が取り付けられており、この張り出し枠９は、前後左右に取り付けられる前面支柱４１と後面支柱４２と左右の前面支柱間に取り付けられる２本の前面手摺２１，２１と、前後の前面支柱４１と後面支柱４２との間に取り付けられる２本の側面手摺４３，４４とからなり、前面支柱４１と後面支柱４２の各下端部にロックヒンジ１５によって作業床１０が取り付けられるようになっている。
【００２４】
足場用主枠１と張り出し枠９とを継ぐ張り出し脚８は、図１、図２及び図７に示すように、その下端部が上部足場板１８の上面に設けた上向きコ字状の取付桟４５に、その上端部が作業床１０の下面に設けた下向きコ状の取付桟４６に夫々着脱ヒンジ１７，１７によって枢着された一対の平行リンク状の脚部材４７，４７からなり、該張り出し脚８には昇降ステップ１４が一対の脚部材４７間にわたって枢着されている。
【００２５】
図１及び図２は、張り出し枠９が室外側に張り出した状態を示し、この張り出し途上で、図２の矢印方向に拡大斜視図で示すように、前面枠支柱４に突設した係合片４８に張り出し枠９の被係合片４９が自動的に係合し、同時に張り出し枠９の作業床１０の載架台５０が前面枠支柱４の上半分の位置に突設した受け台５１に受支され、これによって張り出し状態の張り出し枠９及び作業床１０は足場用主枠１に安全に保持されるようになっている。上記係合片４８と被係合片４９とで係止手段１６を構成し、載架台５０と受け台５１とで載架手段２２を構成する。
【００２６】
従って、使用時には、図２に示すように足場用主枠１の突っ張りポスト２の第１伸縮ポスト１２を基部ポスト１１に対して、第１伸縮ポスト１２に嵌合してある第２伸縮ポスト１３上端部の突っ張り板２０が略ベランダＶの上面壁Ｖａに当接する位置まで伸長させ、この位置で基部ポスト１１の支持孔２３と第１伸縮ポスト１２の調整孔２４とにわたって調整ピン５２（図１１）を挿入して、第１伸縮ポスト１３を伸長状態に維持させ、次に第１伸縮ポスト１２の雄ねじ部２７に螺合されているジャッキハンドル２６を回転させることによって、該ハンドル２６に当接する第２伸縮ポスト１３をジャッキ作用によって上動させ、第２伸縮ポスト１３の上端部の突っ張り板２０をベランダＶの下面壁Ｖｂに圧接させて足場用主枠１をベランダＶの上面壁Ｖａと下面壁Ｖｂとの間に堅固に突っ張り支持させ、この状態で足場用主枠１から張り出し枠９及び作業床１０を平行リンク状の張り出し脚８の平行移動によってベランダ手摺Ｖｃから室外側に張り出させる。この張り出し作業の途上で、張り出し枠９と足場用主枠１とは両者間に設けた係合片４８と被係合片４９とからなる係止手段１６によって係合され、且つ足場用主枠１に設けた受け台５１と作業床１０の突設した載架台５０とからなる載架手段２２によって受支されるため、張り出し枠９と作業床１０とは足場用主枠１にその張り出し状態で強固に支持されることは前述のとおりである。そして作業者は昇降梯子３１により上部足場板１８に上り、該足場板１８から張り出し脚８の昇降ステップ１４をつたって作業床１０に乗り移り、作業者は作業床１０上で張り出し枠９に保護されて建物の外壁やベランダの修理作業等を容易に且つ安全に行うことができる。勿論、足場用主枠１に設けてある上部足場板１８の位置からもベランダＶの上面壁Ｖａ等の修理作業等を行うこともできる。
【００２７】
作業の終了後には、図８に示すように張り出し枠９及び作業床１０を張り出し脚８の平行移動によって室内側の足場用主枠１内に収納し、しかる後に、図９及び図１０に示すように突っ張りポスト２を収縮させ、図９に示すように調整ピン５２を支持孔２３と固定孔２５（図１１）とに挿通させて第２伸縮ポスト１３を基部ポスト１１に固定し、且つ張り出し枠９を折り畳むことによって、張り出し枠９及び作業床１０は足場用主枠１内に収容された状態で足場用主枠１は嵩低になるから、キャスター７によって移動させ、例えばエレベーターに搭載させて階上、階下の次の作業現場に容易に移動することができる。なお、張り出し枠９の折り畳み機構については後述する。
【００２８】
図１１以下の図面は、これまで述べた各部材の分解構造を説明するもので、まず図１１に示すように、突っ張りポスト２は、その構造上から分かるように基部ポスト１１から調整ピン５２を外すことによって第１伸縮ポスト１２を分解することかでき、また第１伸縮ポスト１２の雄ねじ部２７に螺合されるジャッキハンドルねじ２６を緩め、該雄ねじ部２７を、これが嵌合されている第２伸縮ポスト１３の中空部２８から引き抜いて第２伸縮ポスト１３を第１伸縮ポスト１２から外し、足場用主枠１における側面布枠６のガイド管８６から抜き出すことができる。なお、側面布枠６は図示のように、前面枠支柱４の上端部に上下２本の横桟３３と該横桟３３にわたってガイド管８６が設けられ、前面枠支柱４の下半分の位置に上部足場桟３５が、下端部付近に下部足場桟３６が夫々設けられ、両足場桟３５，３６にわたって基部ポスト１１が固着されている。
【００２９】
図１２及び図１３は後面布枠３と左右の側面布枠６との連結状態を示し、後面布枠３の上横桟２９の両端部は側面布枠６のガイド管８６に、また下横桟３０は基部ポスト１１に夫々着脱ヒンジ５３によって、通常は図１３に示すように平面視コ字状に連結されている。
【００３０】
図１４および図１５は着脱ヒンジ５３の詳細構造を示すもので、図１４に示すようにガイド管８６或いは基部ポスト１１にヒンジ板５４が固着され、また後面布枠３の上下横桟２９（３０）には他方のＬ字状のヒンジ板５５が固着され、両ヒンジ板が図１５に示すように互いに重ね合わせ、両ヒンジ板５４，５５に設けたピン孔５６，５７，５８に略７の字に近い形状のヒンジピン５９を差込み、このうち、両ヒンジ板５４，５５にわたって設けたピン孔５６，５７に差し込んだ短いピン部分が枢支部５９ａとなり，他方の長いピン部分にヒンジばね６０を取り付けるピン付勢部５９ｂとなっている。従って図１４の実線状態は、前述のように図１３の通常の平面視コ字状の状態を示す。図１４の鎖線状態は、折り畳み状態を示すもので、図１６に示すように、側面布枠６に対して後面布枠３をヒンジピン５９の枢支部５９ａを中心に矢印で示すように折り畳むことができ、これと同時に後面布枠３は図１６の（ａ）に示すように、その中央部の折り畳みヒンジ３ａを中心に内側にむかって折り畳むことができ、従って着脱ヒンジ５３と折り畳みヒンジ３ａとの両作用によって側面布枠６と後面布枠３とはつづら状にコンパクトに折り畳むことができるようになっている。
【００３１】
また、図１５に示すように、着脱ヒンジ５３のヒンジピン５９は、常時はピン付勢部５９ｂのヒンジばね６０に付勢されて枢支部５９ａは両ヒンジ板５４，５５にわたるピン孔５６，５７に挿通状態にあるが、鎖線に示すようにヒンジピン５９をヒンジばね６０の付勢力に抗して上方に移動させることによって枢支部５９ａをピン孔５６，５７から抜き出すことができ、これによって後面布枠３と側面布枠６とを分解して、運搬または保管の際に更にコンパクトに収納することができる。
【００３２】
図１７は足場用主枠１の前面部を形成する前面布枠５で、前述のように上下横桟３７，３８と縦桟３９と補強桟４０とからなり、前面布枠５の上下横桟３７，３８の両端部には、図１８に示すようにＬ字状のヒンジ板６１が設けられ、これに図１７に示すように着脱ピン６２が取り付けられている。
【００３３】
図１９及び図２０は張り出し枠９及び作業床１０の正面図及び平面図であり、張り出し枠９の左右前面支柱４１，４１には着脱ピン６３によって上下２本の前面手摺２１，２１が取り付けられている。なお、図２０において、後面側の支柱には前述の被係合片４９が突設され、また作業床１０の後面側には前述の受け台５１に乗せられる載架部５０が突設されている。
【００３４】
図２１及び図２２は、図１７〜図２０に示す着脱ピン６２，６３の詳細構造を示すもので、張り出し枠９の前面手摺２１の連結構造を例にとって説明すると、前面手摺２１の両端部は二股状に形成され、この二股先端部２１ａを図２２に示すように前面支柱４１に固着される側面手摺４３（４４）に嵌合し、両者の重合部分に設けたピン孔６４，６５，６６に略７の字に近い形状の連結ピン６７を差込み、このうち、両重合部分にわたって設けたピン孔６４，６５に差し込んだ短いピン部分が連結部６７ａとなり，他方の長いピン部分に着脱ばね６８を取り付けるピン付勢部６７ｂとなっている。従って図２２の実線状態は、前面手摺２１は、側面手摺４３に連結された状態にあり、着脱ピン６２（６３）の連結ピン６７は、常時はピン付勢部の着脱ばね６８に付勢されて連結部６７ａは両重合部２１ａ，４３にわたるピン孔６４，６５に挿通状態にあるが、鎖線に示すように連結ピン６７を着脱ばね６８の付勢力に抗して上方に移動させることによって連結部６７ａをピン孔６４，６５から抜き出すことができ、この状態で前面手摺２１を横斜め方向に水平移動させることによって前面手摺２１を側面手摺４３から分解することができ、これによって運搬または保管の際にコンパクトに収納することができる。
【００３５】
図２３は、室外側から見て、張り出し枠９の右側の前後面支柱４１，４２と作業床１０との連結状態を示す右側面図である。また図２４は、張り出し枠９の左側の前後面支柱４１，４２と作業床１０との連結状態を示す左側面図である。前後面支柱４１の下端部と作業床１０との間にはロックヒンジ１５によって連結されている。なお、張り出し枠９には被係合片４９が、また作業床１０の後端部には載架部５０が夫々突設されていることは前述のとおりである。
【００３６】
図２５及び図２６は、図２３に示す右側の前後面支柱４１，４２と作業床１０との連結状態のロックヒンジ１５（１５ａ）の詳細構造を示すもので、図２５に示すように、支柱４１（４２）の下端部を作業床１０に突設した二股状のヒンジ板６９に嵌合して重合させ、この重合部分にわたって上下２個のピン孔７０〜７３を設け、これらのピン孔７０〜７３に横向きに略７の字に近い形状のヒンジピン７４を差込み、このうち、上方側のピン孔７０，７１に差し込んだ短いピン部分がロック部７４ａとなり，下方側の長いピン部分が枢支部７４ｂとなり、且つヒンジばね７５を取り付けるピン付勢部７４ｂとなっている。
【００３７】
また図２７及び図２８は、図２４に示す左側の前後面支柱４１，４２と作業床１０との連結状態のロックヒンジ１５（１５ｂ）の詳細構造を示すもので、図２７に示すように、支柱４１（４２）の下端部を作業床１０に突設した二股状のヒンジ板６９に嵌合して重合させ、この重合部分にわたって上下２個のピン孔７０〜７３を設け、これらのピン孔７０〜７３に横向きに略７の字に近い形状のヒンジピン７４を差込み、このうち、下方側のピン孔７２，７３に差し込んだ短いピン部分がロック部７４ａとなり，上方側の長いピン部分が枢支部７４ｂとなり、且つヒンジばね７５を取り付けるピン付勢部７４ｂとなっている。
【００３８】
これらのロックヒンジ１５（１５ａ，１５ｂ）において、実線で示すようにロックヒンジ１５の長短の上下のピン部分７４ａ，７４ｂがヒンジばね７５に付勢されて夫々のピン孔７０〜７３に嵌合しているときには、張り出し枠９の前後面支柱４１，４２はロックヒンジ１５によって直立枠状にロック維持され、これがために作業時において、張り出し枠９はこのロック機構によって不測に張り出し枠９が作業床１０上に倒れることがなく安全に作業を行うことができる。
【００３９】
そして、折り畳むときには鎖線で示すようにヒンジピン７４をヒンジばね７５の付勢力に抗してピン孔７０，７１から抜き出す方向に移動させることによって、短い方のピン部、即ちロック部７４ａのみがピン孔７０，７１から抜き出ることになることになるから、他方の長いピン部である枢支部７４ｂを中心に前後面支柱４１，４２を作業床１０に向かって折り畳むことができる。
【００４０】
この際に、図２３の右側の前後面支柱４１，４２と作業床１０との間のロックヒンジ１５ａにおけるヒンジピン７４の枢支部７４ｂは、図２５に示すようにロック部７４ａの下方側に位置し、これに対して図２４の左側の前後面支柱４１，４２と作業床１０との間のロックヒンジ１５ｂにおけるヒンジピン７４の枢支部７４ｂは、図２７に示すようにロック部７４ａの上方側に位置するため、左右の前後面支柱４１，４２は互いに干渉されることなく作業床１０上に折り畳むことができる。
【００４１】
図２９は張り出し枠９の作業床１０上への折り畳み手順を示すもので、まず（ａ）に示すように、上下２本の前面手摺２１を図２１及び図２２で説明したように着脱ピン６３を操作して側面手摺４３及び前面支柱４１から取り外し、次に（ｂ）に示すように、右側の前後支柱４１，４２を、図２５に示すようにヒンジピン７４を鎖線位置に移動させロック解除させて、その下方側の枢支ピン部７４ｂを支点として、作業床１０上に直線に接触するように折り畳み、そして（ｃ）に示すように左側の前後支柱４１，４２を、図２７に示すように、ヒンジピン７４を鎖線位置に移動させロック解除させて、その上方側の枢支ピン部７４ｂを支点として折り畳むことによって、該左側の前後面支柱４１，４２は、折り畳み支点が上下に偏倚しているため右側の前後面支柱４１，４２に何ら干渉されることなく、この右側の前後面支柱４１，４２の上に重なるように折り畳むことができる。なお、４９は前述の被係合片である。
【００４２】
前述の図９及び図１０に示すように、足場用主枠１の室内側に張り出し枠９及び作業床１０を収容した後の張り出し枠９を作業床１０上に折り畳む作業は前述の工程によって容易に折り畳むことができる。
【００４３】
図３０及び図３１は上下部足場板１８，１９と上下部足場桟３５との取付構造および上部足場板１８と張り出し脚８との取付構造を示すもので、上下部の足場板１８，１９の長手方向両側には下向きコ字状の受け枠７６が突設され、この受け枠７６を足場用主枠１に設けた上部及び下部足場桟３５（３６）に図３１に示すように係合させて、足場板１８（１９）を足場桟３５（３６）に支持させ、この両者が不測に離脱しないように着脱ロック７７によってロックするようになっている。
【００４４】
図３２及び図３３に示すように着脱ロック７７はロックピン７８とロックばね７９とからなるもので、足場板１８（１９）の裏面側で水平方向に移動可能なロックピン７８を足場板１８から受け台７６及び受け台７６に係合される足場桟３５（３６）に設けたピン孔に挿通させ、これがロックピン７８に設けたロックばね７９の付勢力によって常に足場桟３５（３６）に係合することによって足場板１８（１９）が足場桟３５（３６）から不測に離脱することがないようにしてある。そして足場板１８（１９）を足場桟３５（３６）から取り外す場合には、図３３に矢印で示すようにロックピン７８のレバー７８ａを鎖線位置に移動させてロックピン７８を足場桟３５（３６）のピン孔から離脱させることによって容易に取り外すことができる。なお、図３２及び図３３において８０はばね受けピンである。
【００４５】
また前述のように、上部足場板１８の上面に上向きコ字状の取付桟４５が突設され、これに一対の平行リンク状の脚部材４７からなる張り出し脚８が着脱ヒンジ１７によって枢着される。
【００４６】
図３２及び図３４に示すように、着脱ヒンジ１７は、上部足場板１８に突設した上向きコ字状の取付桟４５とこの取付桟４５に嵌合される張り出し脚８の一対の脚部材４７の下端部とにわたってピン孔８１〜８３を設け、これらのピン孔８１〜８３に横向きに略７の字に近い形状のヒンジピン８４を差込み、このうち、取付桟４５と脚部材４７とにわたるピン孔８１，８２に差し込んだ短いピン部分が枢支部８４ａとなり，他方側の長いピン部分がばね８５を取り付けるピン付勢部８４ｂとなっている。
【００４７】
従って、常時は実線で示すようにばね８５の付勢力によって着脱ヒンジ１７の枢支部８４ａによって上部足場板１８と張り出し脚８の両脚部材４７は枢着され、これに対して鎖線で示すようにばね８５の付勢力に抗して着脱ピン１７を移動させて枢支部８４ａをピン孔８１，８２から抜き出すことによって上部足場板１８と張り出し脚８とを分解することができる。
【００４８】
【発明の効果】
請求項１に係る発明によれば、足場用主枠１は室内側左右突っ張りポスト２と、左右突っ張りポスト２，２間に設けられた後面布枠３と、室外側左右前面枠支柱４と、左右前面枠支柱４，４間に設けられた前面布枠５と、室内側左右突っ張りポスト２と室外側左右前面枠支柱４との間に設けられた側面布枠６と、左右突っ張りポスト２及び左右前面枠支柱４の各下端部に設けられたキャスター７とからなるため構成が簡単で安価に製作することができると共に、足場用主枠１の室内側の２本の左右突っ張りポスト２，２によって足場用主枠１をベランダＶの上面壁Ｖａと下面壁Ｖｂとの間で突っ張り支持させるようにしたから、突っ張り部材の点数を少なくでき、且つ重量の軽減を図ることができ、更に足場用主枠１から室外側に張り出すようにした張り出し枠９及びこれに設けられる作業床１０は、平行リンク機構からなる張り出し脚８で連結され、この平行リンク機構からなる張り出し脚８によって室外側と室内側と間を平行リンク運動によって張り出し脚８及び作業床１０を移動させることができるため、その動きが極めて円滑であり、作業者は軽く張り出し枠９及び作業床１０を室内外に移動操作することができる。
【００４９】
また請求項２に係る発明によれば、前記突っ張りポスト２は、キャスター７が下端部に設けられた基部ポスト１１と、該基部ポスト１１に伸縮可能に取り付けられる第１の伸縮ポスト１２と、該第１伸縮ポスト１２に伸縮可能に取り付けられる第２の伸縮ポスト１３とからなるため、長尺な突っ張りポスト２であっても、運搬や保管時にはコンパクトに収納することができる。
【００５０】
また請求項３に係る発明によれば、前記張り出し脚８に昇降ステップ１４が設けられてなるため、足場用主枠１から張り出し脚８の作業床１０に安全に乗り移ることができると共に、昇降ステップ１４は張り出し脚８の補強材としての役割も担うことができる。
【００５１】
また請求項４に係る発明によれば、前記張り出し枠９の前面部には取り外し可能な前面手摺２１を設けてなるため、作業を安全に行うことができると共に、張り出し脚８の折り畳み時には単に前面手摺２１を取り外せばよいから折り畳み作業を容易に行うことができる。
【００５２】
また請求項５に係る発明によれば、前記張り出し枠９は、ロックヒンジ１５によって直立枠状に維持ロックされるようになっているため、張り出し脚８の作業床１０で作業を行う際に不測に張り出し脚８が倒れることがなく安全に作業を行うことができると共に、ロック解除されるされることによって張り出し脚８を容易に作業床１０面上に折り畳むことができる。
【００５３】
また請求項６に係る発明によれば、足場用主枠１から室外側に張り出された張り出し枠９は係止手段１６及び載架手段２２によって足場用主枠１に自動的に係止且つ載架されてその張り出し状態が補強されるようになっているため、張り出し枠９及び作業床１０が足場用主枠１に対して不測に動揺したり外れたりすることがなく、作業者は、張り出された作業床１０上で安全に作業を行うことができる。
【００５４】
また請求項７に係る発明によれば、前記張り出し枠９が室内側の足場用主枠１内に収容された状態で該張り出し枠９が作業床１０面上に折り畳まれると共に、足場用主枠１を形成する突っ張りポスト２が収縮され、その状態で移動可能となっているため、各部材を分解することなく例えばエレベーターに搭載させて階上、階下の次の作業現場に容易に移動することができ、現場作業を迅速容易に行うことができる。またコンパクトに収縮することができるため、この移動作業は一人でも行うことができる。
【００５５】
また請求項８に係る発明によれば、足場用主枠１に複数の足場板１８，１９が着脱可能に取り付けられてなるため、ベランダＶから足場用主枠１に、また足場用主枠１から張り出し枠９の作業床１０に容易に乗り移ることができる。
【００５６】
また請求項９に係る発明によれば、足場用主枠１を形成する後面布枠３はその中央部３ａを枢着点して折り畳み可能となっており、また該後面布枠３とその両側の側面布枠６とは両布枠間のコーナー部を中心に折り畳み可能となっており、従ってこれらの部材は互いにつづら折り状に折り畳むことができるようになっているため、足場用主枠１の主要部を構成する後面布枠３とその両側の側面布枠６とを分解することなくコンパクトに折り畳むことができる。
【００５７】
また請求項１０に係る発明によれば、足場用主枠１を形成する前面布枠５は取り外し可能になっているため、足場用主枠１をコンパクトに収納することができる。
【００５８】
また請求項１１に係る発明によれば、足場用主枠１、張り出し枠９、張り出し脚８、突っ張りポスト２及び足場板１８，１９は互いに独立して分離可能となっているため、全体の部材を嵩低にしてコンパクトに収納することができると共に、その折り畳み作業を一人の作業者でも行うことが可能である。
【図面の簡単な説明】
【図１】本発明の一実施形態の全体斜視図である。
【図２】同側面図である。
【図３】図２のＡーＡ線断面図である。
【図４】図２のＢーＢ線断面図である。
【図５】同正面図である。
【図６】同背面図である。
【図７】同要部の斜視図である。
【図８】同使用状態の側面図である。
【図９】同使用状態を示す図であり、足場装置の移動時の状態を示す側面図である。
【図１０】同使用状態を示す図であり、足場装置の移動時の状態を示す正面図である。
本発明の他の実施形態を示す図１と同様な側面図である。
【図１１】同要部である足場用主枠の側面布枠と突っ張りポストとの分解状態を示す側面図である。
【図１２】足場用主枠の背面図である。
【図１３】同平面図である。
【図１４】図１３に示す部材のコーナー部の拡大図である。
【図１５】図１３のＤーＤ線断面図である。
【図１６】（ａ）は足場用主枠１の主要部の折り畳み途上を示す平面図あり、（ｂ）は同折り畳み状態を示す平面図である。
【図１７】足場用主枠の要部である前面布枠示す正面図である。
【図１８】同平面図である。
【図１９】同要部である作業床の正面図である。
【図２０】同平面図である。
【図２１】同要部の平面図である。
【図２２】図２１のＥーＥ線断面図である。
【図２３】同要部である張り出し枠及び作業床の右側面図である。
【図２４】同左側面図である。
【図２５】図２３のＦ部分の拡大図である。
【図２６】同正面図である。
【図２７】図２４のＧ部分の拡大図である。
【図２８】同正面図である。
【図２９】（ａ）、（ｂ）及び（ｃ）は作業床の張り出し枠の折り畳み順序を示す正面図である。
【図３０】同他の要部である足場板の取付状態を示す平面図である。
【図３１】同正面図である。
【図３２】図３１のＨ部分の拡大図である。
【図３３】同底面図である。
【図３４】同平面図である。
【符号の説明】
Ｖ            ベランダ
Ｖａ          上面壁
Ｖｂ          下面壁
１            足場用主枠
２            突っ張りポスト
３            後面布枠
３ａ          後面布枠の中央部
４            前面枠支柱
５            前面布枠
６            側面布枠
７            キャスター
８            張り出し脚
９            張り出し枠
１０          作業床
１１          基部ポスト
１２          第１の伸縮ポスト
１３          第２の伸縮ポスト
１４          昇降ステップ
１５          ロックヒンジ
１６          係止手段
１７          着脱ヒンジ
１８          足場板
１９          足場板
２０          突っ張り板
２１          前面手摺
２２          載架手段
【図１】
0003550532.tif 000002
【図２】
0003550532.tif 000003
【図３】
0003550532.tif 000004
【図４】
0003550532.tif 000005
【図５】
0003550532.tif 000006
【図６】
0003550532.tif 000007
【図７】
0003550532.tif 000008
【図８】
0003550532.tif 000009
【図９】
0003550532.tif 000010
【図１０】
0003550532.tif 000011
【図１１】
0003550532.tif 000012
【図１２】
0003550532.tif 000013
【図１３】
0003550532.tif 000014
【図１４】
0003550532.tif 000015
【図１５】
0003550532.tif 000016
【図１６】
0003550532.tif 000017
【図１７】
0003550532.tif 000018
【図１８】
0003550532.tif 000019
【図１９】
0003550532.tif 000020
【図２０】
0003550532.tif 000021
【図２１】
0003550532.tif 000022
【図２２】
0003550532.tif 000023
【図２３】
0003550532.tif 000024
【図２４】
0003550532.tif 000025
【図２５】
0003550532.tif 000026
【図２６】
0003550532.tif 000027
【図２７】
0003550532.tif 000028
【図２８】
0003550532.tif 000029
【図２９】
0003550532.tif 000030
【図３０】
0003550532.tif 000031
【図３１】
0003550532.tif 000032
【図３２】
0003550532.tif 000033
【図３３】
0003550532.tif 000034
【図３４】
0003550532.tif 000035